(57)【要約】【課題】より簡便な作業によって、上ケースと下ケースとを強固に固定することができる表示装置収納ケースを提供する。【解決手段】上ケース１１が、底面から延びる壁部を有する下ケース１２に被さることによって上ケース１１と下ケース１２とが嵌り合う構造の表示装置収納ケースにおいて、下ケース１２の壁部に、壁部からケース外側に突出する凸部１４ａ，１５ａが設けられ、上ケース１１の壁部における凸部１４ａ，１５ａに対応する位置に開口部１３が設けられ、開口部１３の下部に、ケース内側に倒れ込むような傾斜を有する傾き部１６が設けられている。【選択図】図１
2008209702.tif 000002
【特許請求の範囲】
【請求項１】
表示装置を構成する部品を収容する表示装置収納ケースであり、底面から延びる壁部を有する第１ケースが、底面から延びる壁部を有する第２ケースに被さることによって第１ケースと第２ケースとが嵌り合う構造の表示装置収納ケースにおいて、
前記第２ケースの壁部に、該壁部からケース外側に突出する凸部が設けられ、
前記第１ケースの壁部における前記凸部に対応する位置に開口部が設けられ、
前記凸部は、前記第２ケースの底面側の突出量が大きくなる傾斜を有するように形成され、
前記第１ケースにおける前記開口部の下部に、前記凸部下面に当接する部分が設けられ、当接する部分は、前記第１ケースにおける壁部の内面よりもケース内側に突出して前記凸部の下面に当接する領域を含む
ことを特徴とする表示装置収納ケース。
【請求項２】
第１ケースにおける開口部の下部に、ケース内側に倒れ込むような傾斜を有する傾き部が設けられている
請求項１記載の表示装置収納ケース。
【請求項３】
傾き部に対応する第２ケースにおける位置に開口部が設けられている
請求項２記載の表示装置収納ケース。
【発明の詳細な説明】
【技術分野】
【０００１】
本発明は、液晶表示装置等の表示装置を構成する部品を収納するケースに関し、特に、第１ケースと第２ケースとが嵌り合うことによって内部に表示装置を構成する部品を収納する表示装置収納ケースに関する。
【背景技術】
【０００２】
液晶表示パネル等の表示パネルを有する表示装置が、カーナビゲーション装置や携帯機器等の機器において広く用いられている。機器に表示装置を組み込むために、表示パネルが表示装置収納ケース（以下、収納ケースという。）に収納され、収納ケースが機器に組み込まれることが多い。
【０００３】
収納ケースとして、上ケースと下ケースとを備えたものがある（例えば、特許文献１参照。）。そのような収納ケースを用いる場合には、上ケースと下ケースとが嵌り合うことによって表示パネルを収納ケース内に収納する。
【０００４】
図７は、特許文献１に記載された表示装置収納ケースを示す斜視図であり、図８（Ａ）は、図７におけるＡ部分を拡大して示す断面図であり、図８（Ｂ）は、図７におけるＢ部分を拡大して示す断面図である。
【０００５】
図７に示すように、下ケース５２は、長方形の底面の各辺から直立する壁部を有し、長方形の短辺から直立する壁部には、複数の爪部５４ａ，５４ｂ，５４ｃが設けられている。その壁部に対向する壁部にも、同様に、複数の爪部が設けられている。爪部５４ａ，５４ｂ，５４ｃのうち中央の爪部５４ｂは、斜め上方に延び、他の爪部５４ａ，５４ｃは、斜め下方に延びている。また、長方形の長辺から直立する壁部には、複数の爪部５５ａ，５５ｂ，５５ｃが設けられている。その壁部に対向する壁部にも、複数の爪部が設けられている。爪部５５ａ，５５ｂ，５５ｃのうち中央の爪部５５ｂは、斜め上方に延び、他の爪部５５ａ，５５ｃは、斜め下方に延びている。
【０００６】
上ケース５１の内面には、下ケース５２に嵌った状態で爪部５４ａ，５４ｂ，５４ｃおよび爪部５５ａ，５５ｂ，５５ｃに対応する位置に、凹部５３が設けられている。
【０００７】
上ケース５１と下ケース５２とを嵌め合わせるときに、下ケース５２における上向きの爪部５４ｂ，５５ｂを閉じた状態（壁部に収納されるような状態）にして、下ケース５２に対して上ケース５１を被せる。斜め下方に延びている爪部５４ａ，５４ｃ，５５ａ，５５ｃは、上ケース５１が下降してくるときに上ケース５１に押されて閉じる方向に一時変形するので、上ケース５１の下降を阻止しない。
【０００８】
下ケース５２に対して上ケース５１が完全に被さると、爪部５４ａ，５４ｂ，５４ｃおよび爪部５５ａ，５５ｂ，５５ｃは、図７に示すような開いた状態（斜めに延びた状態）になる。斜め下方に向いた爪部５４ａ，５４ｃ，５５ａ，５５ｃは、下ケース５２に対して上ケース５１が完全に被さったときに、凹部５３の下面に当接するようなサイズである。また、斜め上方に向いた爪部５４ｂ，５５ｂは、凹部５３の上面に当接するようなサイズである。よって、下ケース５２に対して上ケース５１が完全に被さると、爪部５４ａは、図８（Ａ）に示すように、凹部５３の下面に掛かったような状態になる。斜め上方に向いた他の爪部も同様な状態になる。また、爪部５４ｂは、図８（Ｂ）に示すように、凹部５３の上面に掛かったような状態になる。斜め下方に向いた他の爪部も同様な状態になる。
【０００９】
【特許文献１】特開２００３−１９５２６４号公報（段落００２１−００２４、図１）
【発明の開示】
【発明が解決しようとする課題】
【００１０】
図７および図８に示された収納ケースにおいて、斜め上方を向いた爪部および斜め下方を向いた爪部と凹部５３とによって、上ケース５１と下ケース５２とは強固に固定される。また、上ケース５１と下ケース５２とを固定するときにねじ止め等の工数を要する作業を必要としない。
【００１１】
しかし、斜め上方を向いた爪部５４ｂ，５５ｂが存在するので、上ケース５１を下ケース５２に被せるときに、下ケース５２における上向きの爪部５４ｂ，５５ｂを引っ込むようにする必要がある。よって、ねじ止め等の作業に要する工数に比べると遥かに短い時間ではあるものの、ある程度の作業時間を要する。
【００１２】
そこで、本発明は、より簡便な作業によって、第１ケースと第２ケースとを強固に固定することができる表示装置収納ケースを提供することを目的とする。
【課題を解決するための手段】
【００１３】
本発明による表示装置収納ケースは、表示装置を構成する部品（例えば、バックライトユニット２０や液晶表示パネル３０）を収容する表示装置収納ケースであり、底面から延びる壁部を有する第１ケース（例えば、上ケース１１）が、底面から延びる壁部を有する第２ケース（例えば、下ケース１２）に被さることによって第１ケースと第２ケースとが嵌り合う構造の表示装置収納ケースにおいて、第２ケースの壁部に、該壁部からケース外側に突出する凸部（１４ａ，１５ａ）が設けられ、第１ケースの壁部における凸部に対応する位置に開口部（１３）が設けられ、凸部は、第２ケースの底面側の突出量が大きくなる傾斜を有するように形成され、第１ケースにおける開口部の下部に、凸部下面に当接する部分（例えば、傾き部１６）が設けられ、当接する部分は、第１ケースにおける壁部の内面よりもケース内側に突出して凸部の下面に当接する領域（例えば、傾き部１６の上面）を含むことを特徴とする。
【００１４】
本発明の好ましい態様では、第１ケースにおける開口部の下部に、ケース内側に倒れ込むような傾斜を有する傾き部（例えば、傾き部１６）が設けられている。
【００１５】
第２ケースにおいて、傾き部に対応する位置に開口部（例えば、開口部１２Ａ）が設けられていることが好ましい。
【発明の効果】
【００１６】
本発明によれば、より簡便な作業によって、第１ケースと第２ケースとを強固に固定することができる。
【発明を実施するための最良の形態】
【００１７】
以下、本発明の実施の形態を図面を参照して説明する。
【００１８】
実施の形態１．
図１（Ａ）は、本発明による表示装置収納ケース（以下、ケースという。）の第１の実施の形態（実施の形態１）を示す斜視図である。図１（Ａ）に示すように、平面形状（横断面形状）が略矩形（完全な矩形も含む。以下、長方形という。）のケース１００は、第１ケースに相当する上ケース１１と第２ケースに相当する下ケース１２とで構成されている。上ケース１１と下ケース１２とは、例えばステンレス製のものである。なお、上ケース１１と下ケース１２との素材として合成樹脂を使用可能であるが、加工のしやすさ等の観点から、金属製であることが好ましい。
【００１９】
下ケース１２は、上方が開放し、長方形の底面の各辺から直立する壁部を有し、長方形の短辺から直立する壁部には、長手方向に複数の凸部１４ａが設けられている。その壁部に対向する反対側の短辺に相当する壁部にも、同様に、複数の凸部が設けられている。長方形の長辺から直立する壁部には、長手方向に複数の凸部１５ａが設けられている。その壁部に対向する反対側の長辺に相当する壁部にも、同様に、複数の凸部が設けられている。凸部１４ａ，１５ａは、下ケース１２の外側に向かって突出している。
【００２０】
なお、図１（Ａ）に示す例では、長方形の短辺から直立する壁部に３つの凸部１４ａが設けられ、長方形の長辺から直立する壁部に４つの凸部１５ａが設けられているが、凸部１４ａの個数および凸部１５ａの個数は図１（Ａ）に示された例における個数に限られない。各壁部に、少なくとも１つの凸部が設けられていればよい。
【００２１】
上ケース１１は、長方形の底面の各辺から下方に延びる壁部を有し、下方が開放している。上ケース１１には、下ケース１２に嵌った状態で凸部１４ａ，１５ａに対応する位置に、矩形の開口部１３が設けられている。なお、開口部１３の形状は矩形に限られない。
【００２２】
図１（Ｂ）は、図１（Ａ）における１つの凸部１４ａを含む部分を長方形の長辺方向の切断線で切断した縦断面を示す断面図である。但し、図１（Ｂ）には、断面の一部のみが示されている。図１（Ｂ）に示すように、下ケース１２の内部には、例えば、バックライトユニット２０と液晶表示パネル３０とが収納される。図１（Ｂ）には、拡散シートやレンズシート等２１、および緩衝用等のために下ケース１２内に設置されている部材４０も示されている。なお、部材４０はなくてもよい。そして、下ケース１２にそれらが収納された状態で、上ケース１１が下ケース１２に被せられる。よって、上ケース１１と下ケース１２とが嵌り合ったときに、下ケース１２は上ケース１１の内側に存在する。
【００２３】
凸部１４ａは、縦断面において、下ケース１２の開放側（上ケース１１が被される側）の突出量が小さく、下ケース１２の底面側の突出量が大きく、突出の程度が、開放側から底面側に向かって徐々に大きくなるように形成されている。すなわち、凸部１４ａは、開放側から底面側に向かう傾斜を有する。傾斜は、開放側を起点として外側に向かって徐々に広がるような傾斜である。そして、突出の頂点１７から、縦断面において、上ケースの壁部の厚さよりも広い幅がある上ケース当接部１８が設けられている。凸部１５ａの形状は、凸部１４ａの形状と同様である。よって、図１（Ｂ）には凸部１４ａのみが示されているが、以下、凸部１５ａも含めて説明を行う。
【００２４】
図１（Ｂ）に示すように、上ケース１１における開口部１３の下部（下ケース１２の底面に近い側）において、上ケース１１の内側に向かう傾きが付けられている。傾きが付けられている部分を、傾き部１６という。傾き部１６は、上ケース１１の壁部の先端（図１（Ｂ）において下側）から開口部１３の下側までの間に位置する所定位置を起点として、そこから先（開口部１３の下側に向かう部分）がケース内側に倒れ込むような傾斜を有する。そして、上ケース１１と下ケース１２とが嵌り合った状態では、傾き部１６の上面Ｔに、凸部１４ａ，１５ａにおける上ケース当接部１８の裏面が当接する。下ケース１２において、凸部１４ａ，１５ａの下側には、傾き部１６を受け入れるために、下ケース１２の内側に向かって、傾き部１６の傾斜に沿って傾斜する内側傾き部１９が設けられている。
【００２５】
図１（Ｂ）に示すように、傾き部１６の上面Ｔは、上ケース１１における壁部の内面（図１（Ｂ）においてＳで示される。）よりもケース内側で凸部１４ａ，１５ａの下面（具体的には、上ケース当接部１８の裏面）に当接する。
【００２６】
図２は、上ケース１１および下ケース１２の寸法例を示す説明図である。図２に示す例では、上ケース１１の壁部の厚さは０．３ｍｍであり、下ケース１２の壁部の厚さは０．３ｍｍである。また、上ケース１１と下ケース１２とが嵌り合った状態において、上ケース１１と下ケース１２との間隙は、０．１ｍｍである。そして、縦断面における上ケース当接部１８の幅は０．７ｍｍである。また、図２に示す例では、傾き部１６の最先端（図２において最右の位置）Ｐは、下ケース１２の内面の位置Ｑに合っている。
【００２７】
下ケース１２にバックライトユニット２０と液晶表示パネル３０とを収納した後、上ケース１１と下ケース１２とを嵌め合うときに、下ケース１２の上から上ケース１１を下方に押し込む。上ケース１１が下降してくるときに、上ケース１１の先端が凸部１４ａ，１５ａの傾斜に沿って広がりつつ下降するので、凸部１４ａ，１５ａは上ケース１１の下降を阻止しないことになる。そして、下ケース１２における凸部１４ａ，１５ａが、上ケース１１における開口部１３と嵌り合うようにして、上ケース１１と下ケース１２とが固定される。
【００２８】
従って、上ケース１１と下ケース１２とを嵌め合わせて固定するときに、ねじ止め等の工数を要する作業を必要としない上に、凸部１４ａ，１５ａに対して何等の処理も施す必要がなく、作業は簡便である。なお、上ケース１１と下ケース１２とが嵌り合った状態では、上ケース１１の先端の広がりが元の状態（広がっていない状態）に回復する。そして、その状態では、凸部１４ａ，１５ａが開口部１３からややはみ出た状態になるとともに、上ケース１１の傾き部１６の上面が、凸部１４ａ，１５ａの下面（上ケース当接部１８の裏面）に当接した状態になる。
【００２９】
図３は、比較例を示す断面図である。図３に示す比較例では、ケース１１０における上ケース１１に傾き部１６が設けられていない。上ケース１１と下ケース１２とが嵌り合った状態では、開口部１３の下部Ｒに、凸部１４ａ，１５ａの上ケース当接部１８の裏面が当接する。
【００３０】
図１（Ｂ）に示された本実施の形態のケース１００と、図３に示されたケース１１０とを比較すると、ケース１００では、下ケース１２に凸部１４ａ，１５ａが設けられている上に、ケース内側に向かって傾く傾き部１６が上ケース１１に設けられているので、図３に示されたケース１１０に比べて、上ケース１１と下ケース１２とがより強固に固定される。例えば、下ケース１２が図１（Ｂ）および図３における右側にずれたことを想定すると、図１（Ｂ）に示されたケース１００に比べて、図３に示されたケース１１０の方が、下ケース１２が上ケース１１から外れやすくなる。換言すれば、図１（Ｂ）に示されたケース１００の方が、上ケース１１または下ケース１２がずれたときに、外れるまでの余裕（マージン）が大きい。従って、上ケース１１と下ケース１２とがより強固に固定されていることになる。
【００３１】
実施の形態２．
図４（Ａ）は、本発明によるケースの第２の実施の形態（実施の形態２）を示す断面図である。図４（Ｂ）は、凸部１４ａの周辺を示す斜視図である。図１（Ｂ）に示されたケース１００おいて下ケース１２には、下ケース１２の内側に向かう内側傾き部１９が設けられていたが、図４に示すケース１０１では、内側傾き部１９に代えて、傾き部１６を受け入れる開口部１２Ａが設けられている。図４に示す構造においても、傾き部１６が上ケース当接部１８に当接するので、第１の実施の形態の場合と同様の効果が得られる。
【００３２】
図５は、本発明によるケースの他の例を示す断面図である。図１（Ｂ）に示されたケース１００おいて上ケース１１には傾き部１６が設けられていたが、図５に示すケース１０２では、上ケース１１における開口部１３の下側（下ケース１２の底面に近い側）がケース内側に略９０°に折り曲げられた部分である平坦部１６ａが存在する。平坦部１６ａの幅は、上ケース１１の壁部の厚さ（例えば、０．３ｍｍ）よりも大きい。図５に示す構造においても、平坦部１６ａが上ケース当接部１８に当接するので、第１の実施の形態の場合と同様の効果が得られる。
【００３３】
図６は、本発明によるケースのさらに他の例を示す断面図である。図６に示すケース１０３では、上ケース１１における開口部１３の下側（下ケース１２の底面に近い側）に、上ケース１１の壁部の厚さ（例えば、０．３ｍｍ）よりも幅が広い幅広部１６ｂが設けられている。図６に示す構造においても、幅広部１６ｂが上ケース当接部１８に当接するので、第１の実施の形態の場合と同様の効果が得られる。
【００３４】
以上に説明したように、本発明では、下ケース１２に、下ケース１２の外側に向かって突出している凸部１４ａ，１５ａが設けられ、上ケース１１における凸部１４ａ，１５ａに対応する位置に開口部１３が設けられ、さらに、開口部１３の下部において、凸部１４ａ，１５ａの下面に当接する部分が設けられ、当接する部分は、上ケース１１における壁部の内面よりもケース内側で凸部１４ａ，１５ａの下面に当接する箇所を含むように形成されているので、上ケース１１と下ケース１２とがより強固に固定される。
【００３５】
例えば、第１の実施の形態において、凸部１４ａ，１５ａの下面に当接する部分は傾き部１６であり、上ケース１１における壁部の内面よりもケース内側で凸部１４ａ，１５ａの下面に当接する箇所は、傾き部１６の上面である。また、図１（Ｂ）に示された例では、傾き部１６の上面Ｔの全面が、Ｓで示される上ケース１１における壁部の内面よりもケース内側に位置しているが、一部が上ケース１１における壁部の内面よりもケース内側に位置する（例えば、図１（Ｂ）に示されたＳから延びる破線が傾き部１６の上面Ｔに掛かるように傾き部１６の傾斜の程度を小さくする）ようにしてもよい。
【００３６】
なお、上記の各実施の形態では、表示パネルとして液晶表示パネル３０を例にしたが、有機ＥＬパネル等の他の表示パネルを用いてもよい。
【産業上の利用可能性】
【００３７】
本発明は、ナビゲーション装置などの機器に組み込まれる表示装置であって、タッチパネルが備えられた表示パネルを収納する用途に好適に適用される。
【図面の簡単な説明】
【００３８】
【図１】（Ａ）は本発明によるケースの第１の実施の形態を示す斜視図、（Ｂ）は凸部を含む部分のケースの縦断面を示す断面図。
【図２】上ケースおよび下ケースの寸法例を示す説明図。
【図３】比較例を示す断面図。
【図４】（Ａ）は本発明によるケースの第２の実施の形態を示す断面図、（Ｂ）は凸部の周辺を示す斜視図。
【図５】本発明によるケースの他の例を示す断面図。
【図６】本発明によるケースのさらに他の例を示す断面図。
【図７】従来のケースを示す斜視図。
【図８】（Ａ）は図７におけるＡ部分を拡大して示す断面図、（Ｂ）は図７におけるＢ部分を拡大して示す断面図。
【符号の説明】
【００３９】
１１    上ケース
１２    下ケース
１２Ａ  開口部
１３    開口部
１４ａ，１５ａ  凸部
１６    傾き部
１８    上ケース当接部
１９    内側傾き部
２０    バックライトユニット
３０    液晶表示パネル
１００，１０１，１０２，１０３  ケース
【図１】
2008209702.tif 000003
【図２】
2008209702.tif 000004
【図３】
2008209702.tif 000005
【図４】
2008209702.tif 000006
【図５】
2008209702.tif 000007
【図６】
2008209702.tif 000008
【図７】
2008209702.tif 000009
【図８】
2008209702.tif 000010